(57)【要約】【課題】  煩雑な操作をしなくてもテレビ受像機の表示画面上の撮影画像の写真プリントの依頼をプリント業者に対して簡単に行なうことができるプリント注文装置を提供する。【解決手段】  プリント注文装置１を本体１０とリモコン１１と携帯電話１２とで構成する。プリント注文装置本体１０の電源がオンされたときには、その本体１０からテレビ受像機２に向けて写真情報を出力してテレビ受像機２の表示画面上に写真情報に基づく写真を表示させる。この表示されている画像の注文を行なう操作がリモコン１１で行なわれたときには、そのリモコン１１の操作を受けて携帯電話１２の携帯電話回線網を経由して注文情報をプリント業者に送信する。【選択図】        図１
0003180386.tif 000002
【実用新案登録請求の範囲】
【請求項１】
テレビジョン受像機に向けて写真表示用の信号を出力する出力部と、
メモリカードが装填されて該メモリカードから写真情報を取り出すカードリーダと、
前記カードリーダによりメモリカードから取り出された写真情報を記憶する記憶部と、
電話回線網を使った通信が可能な通信部と、
リモートコントローラからの指示を受信する受信部と、
前記受信部で受信したリモートコントローラからの指示に応じて、前記テレビ受像機に表示された写真の中からの、プリント注文用の写真の選択、および、プリント注文用として選択された写真を表わす写真情報の、前記通信部による送信を実行させる制御部とを備えたことを特徴とするプリント注文装置。
【請求項２】
前記通信部が、電話回線網を経由してきた電子メールを受信するものであり、
前記制御部が、前記通信部で受信した電子メールをテレビ受像機に表示させるものであることを特徴とする請求項１記載のプリント注文装置。
【請求項３】
前記通信部は、携帯電話が着脱自在なものであって、前記制御部は前記通信部に装着された携帯電話を介して無線通信を行なうものであることを特徴とする請求項１又は２記載のプリント注文装置。
【請求項４】
前記出力部が、前記テレビ受像機に向けて写真表示用の信号を無線で送信するものであることを特徴とする請求項１から３のついのいずれか１項記載のプリント注文装置。
【請求項５】
当該プリント注文装置が、テレビ受像機に内蔵されていることを特徴とする請求項１から４のうちのいずれか１項記載のプリント注文装置。
【考案の詳細な説明】
【技術分野】
【０００１】
本発明は、撮影した写真のプリント出力を注文するプリント注文装置に関する。
【背景技術】
【０００２】
２０１１年を目処にテレビ放送に使用される地上波が、アナログ放送からデジタル放送にすべて切り替えられる。このため、現状のテレビ受像機をそのデジタル放送に対応可能とするためのコンバータの販売やそのコンバータを内蔵したデジタル放送対応テレビの販売が最近、盛んに行なわれている。
【０００３】
このようなコンバータにおいては、地上デジタル放送に限らず、ＢＳ（Ｂｒｏａｄｃａｓｔ  Ｓａｔｅｌｌｉｔｅ）やＣＳ（Ｃｏｍｍｕｎｉｃａｔｉｏｎ  Ｓａｔｅｌｌｉｔｅ）といった衛星放送の受信やＣＡＴＶ（Ｃａｂｌｅ  Ｔｅｌｅｖｉｓｉｏｎ）放送などの放送信号の受信やインタネットを通しての画像信号の受信を行なうことができるようになっているものがある。このインタネットを通しての画像信号の受信を行なうことができるコンバータにあっては、リモコン操作に応じてテレビジョン受像機の表示画面上に、メッセージを表示する等の機能を備えたものが提案されている（例えば特許文献１参照）。
【０００４】
またＣＡＴＶ放送用のコンバータにおいては、コンバータ用の電源をテレビ受像機とは別構成にしておいて使用時にはコンバータの電源を投入して表示画面上にすぐに画像を表示することができるようにするとともに、ＣＡＴＶ局からの放送電波を長い間受信しないときにはコンバータの電源を断にすることができるようにしてテレビ受像機の消費電力の低減を実現させているものもある（例えば特許文献２参照）。
【０００５】
ところで、従来よりデジタルカメラやカメラ付き携帯電話機で撮影した画像を、携帯電話やパーソナルコンピュータ（以降ＰＣという）等を使ってプリント業者に依頼するシステムが知られている。このシステムを使って携帯電話機やＰＣで写真のプリント出力を依頼すると、写真が出来上がったことを受信メール等で確認してからプリント業者のところに行って写真を受け取ったり、プリント業者からの宅配便で写真を受け取ったりすることができる。しかし、このシステムは、プリント業者に写真のプリント出力を依頼するときの操作が煩雑過ぎて使い難いという問題を抱えている。
【０００６】
一方、上記コンバータを備えたテレビ受像機には、カード装填室が備えられていてそのカード装填室に写真情報が記録されたメモリカードが装填されると、表示画面上に、放送電波に基づく画像の代わりにメモリカード内の写真情報に基づく写真が再生表示されるものがある。こうしてテレビ受像機が画像再生機としても活用されるようになると、わざわざプリント業者に写真プリントの注文をしなくても、デジタルカメラやビデオカメラ等に装填されていたメモリカードを、テレビ受像機のメモリカード装填室に差し込むという操作を行なうだけで写真を表示画面上で楽しむことができる。
【０００７】
しかしながら、テレビ受像機の表示画面上に表示された写真は非常に鮮明であってその写真が思い出深いことがあるため、ユーザの中にはその写真のハードコピーが欲しくなる人もいる。もしもそのようなユーザが在宅したままテレビ受像機の表示画面上の写真のハードコピーを入手しようとすると、メモリカードを一旦テレビ受像機から引き抜いて携帯電話機やＰＣ等に入れ直し、その後煩雑な操作してから上記システムを使ってプリント業者に対して写真プリントの注文を行なうことになってしまう。
【先行技術文献】
【特許文献】
【０００８】
【特許文献１】特開２００７−２２１５９５号公報
【特許文献２】特開２００６−１９１２５８号公報
【考案の概要】
【考案が解決しようとする課題】
【０００９】
本発明は、上記事情に鑑み、煩雑な操作をしなくてもプリント業者に対してテレビ受像機の表示画面上の写真のプリントの注文を簡単に行なうことができるプリント注文装置を提供することを目的とする。
【課題を解決するための手段】
【００１０】
上記目的を達成する本発明のプリント注文装置は、
テレビ受像機に向けて写真表示用の信号を出力する出力部と、
メモリカードが装填されて該メモリカードから写真情報を取り出すカードリーダと、
上記カードリーダによりメモリカードから取り出された写真情報を記憶する記憶部と、
電話回線網を使った通信が可能な通信部と、
リモートコントローラからの指示を受信する受信部と、
上記受信部で受信したリモートコントローラからの指示に応じて、上記テレビ受像機に表示された写真の中からの、プリント注文用の写真の選択、および、プリント注文用として選択された写真を表わす写真情報の、上記通信部による送信を実行させる制御部とを備えたことを特徴とする。
【００１１】
上記プリント注文装置によれば、上記メモリカードが装填されたときにそのメモリカード内の写真情報に基づく画像が上記出力部から上記テレビ受像機に出力されテレビ受像機の表示画面上にその画像が表示される。さらに上記テレビ受像機の表示画面に表示された写真のプリント依頼が上記リモートコントローラの操作により指示されたときには、上記制御部の制御の下に表示された写真を表わす写真情報の送信が上記通信部によって行なわれる。
【００１２】
つまり、テレビジョン受像機の表示画面上の画像を見ながら上記リモートコントローラの簡単な操作によりプリント業者への写真プリントの注文を簡単に行なうことができるようになる。
【００１３】
ここで、上記通信部が、電話回線網を経由してきた電子メールを受信するものであり、上記制御部が、前記通信部で受信した電子メールをテレビ受像機に表示させるものであると良い。
【００１４】
上記通信部は、電話回線網を使った通信が可能な通信部であるので電話回線網を経由してきた電子メールを受信することができる。そこで、上記制御部が上記通信部で受信した電子メールをテレビ受像機に表示させる構成にしておくと、写真のプリント注文を受けた業者からの受注メールをテレビ受像機上に表示させ、プリント注文が確実に行なわれたことを容易に確認することができる。
【００１５】
ここで、上記通信部は、携帯電話が着脱自在なものであって、上記制御部は上記通信部に装着された携帯電話を介して無線通信を行なうものであっても良い。
【００１６】
そうすると、注文をしたいときに自分の携帯電話を装着して写真プリントの注文を行なうことができる。
【００１７】
また、当該プリント注文装置は、上記テレビ受像機のビデオ端子に接続されて使用されるものであっても良く、さらに好ましくはテレビ受像機に向けてワイヤレスで送信できるものであると良く、また上記テレビ受像機に内蔵されていても良い。
【考案の効果】
【００１８】
本発明によれば、煩雑な操作をしなくてもテレビ受像機の表示画面上の撮影画像のプリント出力の依頼をプリント業者に対して簡単に行なうことができるプリント注文装置が実現する。
【図面の簡単な説明】
【００１９】
【図１】本発明のプリント注文装置１の一実施形態を示す図である。
【図２】本発明のプリント注文装置１の一実施形態を示す図である。
【図３】制御部１００が実行する処理の手順を示すフローチャートである。
【考案を実施するための形態】
【００２０】
以下、図を参照して本発明の実施の形態を説明する。
【００２１】
図１、図２は、本発明のプリント注文装置１の一実施形態を示す図である。
【００２２】
図１には、本発明のプリント注文装置１を使用する場合の概念が示されている。この図１のプリント注文装置１は、プリント注文装置本体１０と、リモートコントローラ１１と、アダプタ１０Ｂに載置されている携帯電話機１２とで構成されている。また図２にはそのプリント注文装置本体１０の内部構成が示されている。
【００２３】
図１には、プリント注文装置本体１０から写真情報がテレビ受像機２にケーブルＣＡを介して出力されてその写真情報に基づく写真がテレビ受像機２の表示画面上に表示されている状態が示されている。このプリント注文装置本体１０は、テレビ受像機２のビデオ端子にケーブルＣＡで接続されて使用されるものであり、図１ではテーブル９の上にプリント注文装置本体１０が置かれてそのプリント注文装置本体１０とテレビ受像機２とがケーブルＣＡで接続されるとともにアダプタ１０Ｂに携帯電話がセットされた状態で、リモートコントローラ１１の操作によりこのプリント注文装置が使用されるということが示されている。
【００２４】
この図１に示すプリント注文装置本体１０にはメモリ装填室１０Ａが設けられており、そのメモリ装填室１０Ａに、デジタルカメラ３やビデオカメラ４で撮影した画像が多数記録されたメモリカード５が装填されると、図１に示す様にテレビ受像機２の表示画面上にメモリカード５内のいずれかの写真情報に基づく写真が表示される。
【００２５】
図１に示す様にこのプリント注文装置１には操作用のリモートコントローラ１１が備えられており、そのリモートコントローラ１１からの送信信号の種類に応じて表示画面上に表示される写真が切り替えられたり、その表示画面に表示された写真プリントのプリント業者に対する注文がアダプタ１０Ｂに載置されている携帯電話１２を介して行なわれたりする。
【００２６】
ここで、このような機能を持つ図１のプリント注文装置本体１０の内部構成を図２を参照して説明する。
【００２７】
図２に示す様に、図１のプリント注文装置本体１０には、テレビジョン受像機２への写真表示用の信号であるビデオ信号を出力する出力部１０１と、メモリカード５がメモリ装填室１０Ａに装填されたときに装填されたメモリカード５から写真情報を取り出すカードリーダ１０２と、カードリーダ１０２によりメモリカード５から取り出された写真情報を記憶するハードディスク（以降ＨＤという）１０３をドライブするハードディスクコントローラ（以降ＨＤＤという）１０４と、携帯電話回線網を使った無線通信が可能な通信部１０５と、リモートコントローラ１１からの操作信号光を受光するリモコン受光部１０６とが備えられている。本実施形態においては、ＨＤ１０３とＨＤＤ１０４とが本発明にいう記憶部の一例を構成し、リモコン受光部１０６が本発明にいう受信部の一例を構成する。
【００２８】
上記出力部１０１、上記カードリーダ１０２、上記ＨＤＤ１０４、上記通信部１０５、上記リモコン受光部１０６は、それぞれ、基板上に構成されており、それぞれの基板がプリント注文装置本体１０の内部のマザーボード１００Ａに接続されている。このマザーボード１００Ａには、基板上に構成された制御部１００も接続されているので、すべての基板の制御がその制御部１００で統括的に行なわれることになる。
【００２９】
また、この例では、図１に示す様に携帯電話１２を着脱自在に装着することが可能なアダプタ１０Ｂを設けておいて制御部１００がそのアダプタ１０Ｂに携帯電話１２が装着されたということを検知したときにその携帯電話１２を介して無線通信を行なう構成にしてある。この構成にしておくと、自分の携帯電話１２をそのアダプタ１０Ｂにセットしてリモコン１１を操作するだけで写真のプリント注文を簡単に行なうことができる。
【００３０】
また、本実施形態においてはプリント注文装置本体１０に大容量のＨＤ１０３を搭載してデジタルカメラ３やビデオカメラ４に交換自在に装填される複数のメモリカード５の写真情報をすべてそのＨＤ１０３内にコピーすることができる構成にしている。このため、ＨＤ１０３に写真情報をコピーした後のメモリカード５を新たな記録媒体として再利用することが可能になるとともに、複数のメモリカードに渡った写真情報をＨＤ１０３内に整理して記録することで写真の管理が行い易くなるという波及的な効果が得られる。
【００３１】
ここで、制御部１００が図２の各部に実行させる処理を説明する。
【００３２】
図３は、制御部１００が実行する処理の手順を示すフローチャートである。
【００３３】
この制御部１００は、プリント注文装置本体１０の電源スイッチがオンされたことを受けて処理を開始する。
【００３４】
まずステップＳ３０１で、出力部１０１に指示して、記憶部であるＨＤ１０３内にある写真情報のうちのいずれかを選択してその写真情報をテレビ受像機２に向けて出力させるとともに、テレビ受像機２の表示画面上に‘鑑賞します？’と‘注文します？’という問い合わせメッセージを表わす文字情報も出力させてＴＶ受像機２の表示画面上に画像とともにそのメッセージを表示させる。
【００３５】
ここで、ユーザがその表示画面上の‘鑑賞します？’の方をリモートコントローラ１１の操作により選択したことをリモコン受光部１０６からの受光信号により制御部１００が検知したときには、ステップＳ３０２へ進んで表示した画像をそのまま表示させ続ける。そして次のステップＳ３０３で制御部１００が、表示画面上の写真の切替操作がリモコン１１により行なわれたことをリモコン受光部１０６からの受光信号により検知したときにはステップＳ３０４へ進んでＨＤ１０３から別の写真情報を読み出して出力部１０１に供給して出力部１０１からＴＶ受像機１２に向けてその写真情報を出力させることによりＴＶ受像機の表示画面上の写真を切り替える。またステップＳ３０３で切替操作が無いと判定したときにはステップＳ３０５へ進んで切替操作が行なわれなくなってから所定の時間が経過したかどうかを判定する。このステップＳ３０５でまだ所定の時間を経過していないと判定したときには、Ｎｏ側へ進んでステップＳ３０３からの処理を繰り返す。ステップＳ３０５で所定の時間を経過したと判定したときには、Ｙｅｓ側へ進んでステップＳ３０６で‘注文します？’の問い合わせメッセージを表示画面上に表示させるとともにリモコン操作を待ち受ける。このステップＳ３０６でリモコン操作により‘注文します’が選択されたことをリモコン受光部１０６からの受光信号により検知したときにはＹｅｓ側へ進んで後述するステップＳ３０９にジャンプする。また、ステップＳ３０６で‘注文しない’が選択されたことをリモコン受光部１０６からの受光信号により検知したときにはＮｏ側へ進んでステップＳ３０６５で‘鑑賞を終了しますか’の問い合わせメッセージを表示画面上に表示させる。ここで現在表示されている写真を別の写真に切り替える旨の操作がリモコン１１で行なわれたときにはＮｏ側へ進んでステップＳ３０３に戻ってステップＳ３０３からの処理を繰り返し、鑑賞を終了する旨の操作がリモコン１１で行なわれたときにはＹｅｓ側へ進んでこのフローの処理を終了する。
【００３６】
一方ステップＳ３０１で‘注文します？’がリモートコントローラ１１からの操作により選択されたということを検知したときには、次のステップＳ３０７へ進んでこのリモコン注文装置１による写真プリントの注文が初回であるかどうかを検出する。このステップＳ３０７で初回であると判定したときには、ステップＳ３０８へ進んで、制御部１００が出力部１０１に指示して住所情報や５０音の文字などをテレビ受像機２の表示画面上に表示させてリモコン操作により住所を入力させたり、名前を入力させたりする。ステップＳ３０７で登録情報があり初回では無いと判定したときにはこのステップＳ３０８をスキップしてステップＳ３０９に進む。
【００３７】
次のステップＳ３０９で、表示されている画像の注文情報を通信部１０５に指示して携帯電話回線網を使ってプリント業者へ送信させる。次のステップＳ３１０でプリント業者からの受付メールが住所情報等に基づいて携帯電話回線網を経由して送信されてきて制御部１００がその受付メールを受信したことを検知したときには出力部１０１に指示してテレビ受像機２の表示画面上に‘注文完了’のメッセージを表示させる。そしてステップＳ３１１へ進んで通信部１０５に指示して携帯電話回線網を使って確認データをプリント業者に向けて送信させる。さらに次のステップＳ３１２で出力部１０１に‘注文を終了しますか’の問い合わせメッセージを出力させて表示画面上に表示させる。ここでリモコン操作により注文を続ける旨の操作が行なわれたことをリモコン受光部１０６からの信号により検知したときには、ステップＳ３１３へ進んでＨＤ１０３から異なる写真情報を読み出して出力部１０１に出力させて表示画面上の画像を切り替えさせ、ステップＳ３０６に戻ってステップＳ３０６からの処理を繰り返す。そしてステップＳ３０６５又はステップＳ３１２で鑑賞を終了する旨の操作、又は注文を終了する旨の操作が行なわれたことをリモコン受光部１０６からの信号により検知したときには、このフローの処理を終了する。
【００３８】
このフローの処理が実行された後においてプリント業者からプリント写真が宅配便などにより送付されてくることになる。そして写真を受け取るときに代金の支払いが行なわれる。
【００３９】
このようにすると、リモコン操作一つで簡単に写真プリントの注文を行なうことができるようになる。
【００４０】
すなわち、煩雑な操作をしなくてもテレビ受像機の表示画面上の撮影画像のプリント出力の依頼を簡単に行なうことができるプリント注文装置が実現する。
【００４１】
なお、上記実施形態では、メモリカードを例に掲げているがＵＳＢメモリなどであっても良く、あるいはビデオカメラなどの映像出力端子から直接画像を送る方法でも良い。その場合にはカードリーダの代わりにＵＳＢメモリリーダや画像入力端子を配備すれば良い。また、図１の例では、携帯電話を載置するアダプタを設けているが、携帯電話機能をプリント注文装置に内蔵しても良い。また住所を入力する手間を省くためにプリント注文装置内部にＧＰＳ装置を搭載してプリント注文装置が置かれている現在の位置を自動的に住所としてプリント業者に送信することができるようにしておいても良い。
【００４２】
更には注文番号などを携帯電話のメールサービスで自動返送し、仕上がりプリントの受け取りなどの際に活用するシステムも考えられる。
【符号の説明】
【００４３】
１        プリント注文装置
１０      プリント注文装置本体
１０Ａ    メモリ装填室
１０Ｂ    通信用アダプタ
１１      リモートコントローラ
１２      携帯電話
１００    制御部
１００Ａ  マザーボード
１０１    出力部
１０２    カードリーダ
１０３    ＨＤ
１０４    ＨＤＤ
１０５    通信部
１０６    リモコン受光部
２        テレビ受像機
３        デジタルカメラ
４        ビデオカメラ
５        メモリカード
【図１】
0003180386.tif 000003
【図２】
0003180386.tif 000004
【図３】
0003180386.tif 000005